(57)【要約】【課題】混色時に過剰な量の電流を出力しない電源回路を提供する。【解決手段】電源回路２１は、点灯部２１３ａ、２１３ｂと、制御部２１２とを備える。点灯部２１３ａ、２１３ｂは、第１光源部２３を点灯させる第１電流と、第２光源部２４を点灯させる第２電流とを生成する。制御部２１２は、第１光源部２３から発生する光の光量を制御する第１制御信号と、第２光源部２４から発生する光の光量を制御する第２制御信号とに基づき、点灯部２１３ａ、２１３ｂを制御する。制御部２１２は、第１制御信号に基づいて第１電流の出力値を設定する。制御部２１２は、予め設定された出力定格値と、第１電流の出力値とに基づいて、第２電流の最大出力値を設定する。制御部２１２は、第２制御信号と第２電流の最大出力値とに基づいて、第２電流の出力値を設定する。【選択図】図１
2018170095.tif 000002
【特許請求の範囲】
【請求項１】
第１光源部及び第２光源部を点灯させる電流を生成する電源回路であって、
前記第１光源部を点灯させる第１電流と、前記第２光源部を点灯させる第２電流とを生成する点灯部と、
前記第１光源部から発生する光の光量を制御する第１制御信号と、前記第２光源部から発生する光の光量を制御する第２制御信号とに基づき、前記点灯部を制御する制御部と
を備え
前記制御部は、
前記第１制御信号に基づいて前記第１電流の出力値を設定し、
予め設定された出力定格値と、前記第１電流の出力値とに基づいて、前記第２電流の最大出力値を設定し、
前記第２制御信号と前記第２電流の最大出力値とに基づいて、前記第２電流の出力値を設定する、電源回路。
【請求項２】
前記第１制御信号及び前記第２制御信号は、光の光量を指示する制御値を示し、
前記制御部は、前記光の光量と前記制御値との関係を規定するテーブルを記憶し、
前記テーブルは、前記光の光量を離散的に示す、請求項１に記載の電源回路。
【請求項３】
前記第１制御信号及び前記第２制御信号は、パルス幅変調信号である、請求項１又は請求項２に記載の電源回路。
【請求項４】
光を発生する第１光源部と、
光を発生する第２光源部と、
請求項１から請求項３のいずれか１項に記載の電源回路と
を備える、照明器具。
【請求項５】
前記第１光源部から発生する光は、前記第２光源部から発生する光とは異なる光色を示す、請求項４に記載の照明器具。
【請求項６】
第１光源部を点灯させる第１電流、及び第２光源部を点灯させる第２電流を生成する電源回路の制御方法であって、
前記第１光源部から発生する光の光量を制御する第１制御信号に基づいて、前記第１電流の出力値を設定するステップと、
予め設定された出力定格値と、前記第１電流の出力値とに基づいて、前記第２電流の最大出力値を設定するステップと、
前記第２光源部から発生する光の光量を制御する第２制御信号と、前記第２電流の最大出力値とに基づいて、前記第２電流の出力値を設定するステップと
を包含する、電源制御方法。
【発明の詳細な説明】
【技術分野】
【０００１】
本発明は、電源回路、照明器具、及び電源制御方法に関する。
【背景技術】
【０００２】
パルス幅変調（Ｐｕｌｓｅ  Ｗｉｄｔｈ  Ｍｏｄｕｌａｔｉｏｎ；ＰＷＭ）信号によって調光及び調色が可能な照明器具が知られている。このような照明器具は、一般的には、互いに光色が異なる光を発生する２色の照明素子と、各色の照明素子に流す電流を個別に生成する２つの電源回路とを搭載している。また、２つの調光器から照明器具に対して、各色の光量を制御するＰＷＭ信号が入力される。照明器具は、一方の調光器から入力されるＰＷＭ信号のデューティ比に応じて、一方の色の調光率を設定し、他方の調光器から入力されるＰＷＭ信号のデューティ比に応じて、他方の色の調光率を設定する。したがって、２つの調光器から出力されるＰＷＭ信号のデューティ比を操作して、各色の照明素子から発生する光の光量（混合比率）を変化させることにより、調色を行うことができる。
【０００３】
一方、一般的な照明制御システムでは、２つの電源回路が独立して制御されるため、混色時に過剰な量の電流が流れて、過大な熱が発生するおそれがある。具体的には、一般的な照明制御システムでは、各色の調光率を１００％に設定することができる。換言すると、調光率２００％に相当する光（過剰な光量を有する光）を照明器具から出射させることができる。各色の調光率を１００％に設定した場合、単色の光を調光率１００％で発生させる場合と比べて、電流の量が２倍になる。この結果、過大な熱が発生する。したがって、過大な熱が発生する場合に備えて、例えば放熱器（ヒートシンク）を大型化する必要がある。
【０００４】
特許文献１には、上記問題を解決するための構成が記載されている。具体的には、特許文献１に記載された照明制御システムでは、調光信号（ＰＷＭ信号）及び色温度信号（ＰＷＭ信号）が照明器具に入力される。調光信号は、照明器具から出射される光（混光）の光量を制御し、色温度信号は、照明器具から出射される光（混光）の色温度を制御する。詳しくは、特許文献１に記載の照明器具は、２色のＬＥＤ（Ｌｉｇｈｔ  Ｅｍｉｔｔｉｎｇ  Ｄｉｏｄｅ）と、１つの電源回路とを備える。電源回路は、各色のＬＥＤを発光させる電流を生成する。調光時には、各色のＬＥＤに流す電流が、調光信号のデューティ比に基づいて制御される。調色時には、各色のＬＥＤに流す電流が、色温度信号のデューティ比に基づいて制御される。
【先行技術文献】
【特許文献】
【０００５】
【特許文献１】特開２０１１−２５８５１５号公報
【発明の概要】
【発明が解決しようとする課題】
【０００６】
しかしながら、特許文献１に記載された構成は、一般的な照明制御システムにおいて使用される信号とは異なる信号を必要とする。このため、一般的な照明制御システムに対応できない。
【０００７】
本発明は上記課題に鑑みてなされたものであり、その目的は、互いに光色が異なる光を発生する２色の照明素子を備える照明器具に対して、各色の光量を制御する信号が入力される照明制御システムにおいて、混色時に過剰な量の電流を出力しない電源回路、照明器具、及び電源制御方法を提供することにある。
【課題を解決するための手段】
【０００８】
本願に開示する電源回路は、第１光源部及び第２光源部を点灯させる電流を生成する。前記電源回路は、点灯部と、制御部とを備える。前記点灯部は、前記第１光源部を点灯させる第１電流と、前記第２光源部を点灯させる第２電流とを生成する。前記制御部は、前記第１光源部から発生する光の光量を制御する第１制御信号と、前記第２光源部から発生する光の光量を制御する第２制御信号とに基づき、前記点灯部を制御する。前記制御部は、前記第１制御信号に基づいて前記第１電流の出力値を設定する。前記制御部は、予め設定された出力定格値と、前記第１電流の出力値とに基づいて、前記第２電流の最大出力値を設定する。前記制御部は、前記第２制御信号と前記第２電流の最大出力値とに基づいて、前記第２電流の出力値を設定する。
【０００９】
本願に開示する電源回路において、前記第１制御信号及び前記第２制御信号は、光の光量を指示する制御値を示してもよい。また、前記制御部は、前記光の光量と前記制御値との関係を規定するテーブルを記憶してもよい。前記テーブルは、前記光の光量を離散的に示してもよい。
【００１０】
本願に開示する電源回路において、前記第１制御信号及び前記第２制御信号は、パルス幅変調信号であり得る。
【００１１】
本願に開示する照明器具は、光を発生する第１光源部と、光を発生する第２光源部と、上記の電源回路とを備える。
【００１２】
本願に開示する照明器具において、前記第１光源部から発生する光は、前記第２光源部から発生する光とは異なる光色を示してもよい。
【００１３】
本願に開示する電源制御方法は、第１光源部を点灯させる第１電流、及び第２光源部を点灯させる第２電流を生成する電源回路を制御する方法である。前記電源制御方法は、前記第１光源部から発生する光の光量を制御する第１制御信号に基づいて、前記第１電流の出力値を設定するステップと、予め設定された出力定格値と、前記第１電流の出力値とに基づいて、前記第２電流の最大出力値を設定するステップと、前記第２光源部から発生する光の光量を制御する第２制御信号と、前記第２電流の最大出力値とに基づいて、前記第２電流の出力値を設定するステップとを包含する。
【発明の効果】
【００１４】
本発明によれば、互いに光色が異なる光を発生する２色の照明素子を備える照明器具に対して、各色の光量を制御する信号が入力される照明制御システムにおいて、電源回路から過剰な量の電流が出力されることを抑制できる。
【図面の簡単な説明】
【００１５】
【図１】本発明の実施形態１に係る照明制御システムを示す図である。
【図２】本発明の実施形態１に係る電源制御方法を示す図である。
【図３】本発明の実施形態１に係るＰＷＭ調光テーブルの特性を示すグラフである。
【図４】本発明の実施形態１に係るＰＷＭ調光テーブルの他の特性を示すグラフである。
【図５】本発明の実施形態２に係る照明制御システムを示す図である。
【図６】本発明の実施形態３に係る照明制御システムを示す図である。
【発明を実施するための形態】
【００１６】
以下、図面を参照して本発明の実施形態を説明する。ただし、本発明は以下の実施形態に限定されない。図中、同一又は相当部分については同一の参照符号を付して説明を繰り返さない。
【００１７】
［実施形態１］
図１は、実施形態１に係る照明制御システム１を示す図である。図１に示すように、照明制御システム１は、照明器具２、第１調光器３、及び第２調光器４を備える。
【００１８】
照明器具２は、電源回路２１、及び光源モジュール２２を備える。光源モジュール２２は、第１光源部２３、及び第２光源部２４を備える。第１光源部２３及び第２光源部２４の各々は、ＬＥＤ又は有機ＥＬ素子のような照明素子を少なくとも１つ有する。また、第１光源部２３の照明素子は、第２光源部２４の照明素子とは光色（例えば、色温度）が異なる光を発生する。光源モジュール２２は、第１光源部２３の照明素子及び第２光源部２４の照明素子が搭載された基板を備える。
【００１９】
第１調光器３は、第１光源部２３から発生する光の光量を制御する第１制御信号を出力する。第２調光器４は、第２光源部２４から発生する光の光量を制御する第２制御信号を出力する。本実施形態において、第１制御信号及び第２制御信号は、ＰＷＭ信号（パルス幅変調信号）である。ＰＷＭ信号は、周期Ｔが一定であって、パルス幅τが可変の信号である。以下の説明において、第１制御部信号を「第１ＰＷＭ信号」と記載するとともに、第２制御信号を「第２ＰＷＭ信号」と記載する場合がある。
【００２０】
第１調光器３及び第２調光器４の各々は、ユーザーが操作するユーザーインターフェースを備える。ユーザーインターフェースは、例えば、ダイヤル（ボリュームつまみ）、複数個の押しボタン、又はタッチパネルによって構成される。ユーザーは、ユーザーインターフェースを操作して、第１光源部２３から発生する光の光量、及び第２光源部２４から発生する光の光量を制御することができる。具体的には、ユーザーがユーザーインターフェースを操作することにより、ＰＷＭ信号のデューティ比Ｄ（＝パルス幅τ／周期Ｔ）が変化する。第１ＰＷＭ信号のデューティ比Ｄは、第１光源部２３から発生する光の光量を指示し、第２ＰＷＭ信号のデューティ比Ｄは、第２光源部２４から発生する光の光量を指示する。
【００２１】
電源回路２１は、電流生成部２１１、制御部２１２、第１点灯部２１３ａ、及び第２点灯部２１３ｂを備える。電流生成部２１１は、外部の交流電源５と接続しており、交流電源５から供給された交流電圧に基づいて、第１光源部２３及び第２光源部２４に流す電流を生成する。交流電源５は、典型的には商用交流電源である。
【００２２】
電流生成部２１１は、制御部２１２によって制御されて、第１光源部２３及び第２光源部２４に流す電流を生成する。典型的には、電流生成部２１１は、直流電流を生成する。より好ましくは、電流生成部２１１は、定電流を生成する。典型的には、電流生成部２１１はスイッチ素子を備え、制御部２１２は、電流生成部２１１のスイッチ素子の動作（ターンオン及びターンオフ）を制御して、電流生成部２１１に電流を生成させる。
【００２３】
第１点灯部２１３ａは、電流生成部２１１から出力される電流を制御して、第１光源部２３を点灯させる第１電流を生成する。同様に、第２点灯部２１３ｂは、電流生成部２１１から出力される電流を制御して、第２光源部２４を点灯させる第２電流を生成する。
【００２４】
典型的には、第１点灯部２１３ａ及び第２点灯部２１３ｂはスイッチ素子を備える。第１点灯部２１３ａ及び第２点灯部２１３ｂのスイッチ素子は、制御部２１２によって制御される。具体的には、制御部２１２は、第１点灯部２１３ａ及び第２点灯部２１３ｂのスイッチ素子を高い周波数で駆動する。また、制御部２１２は、第１ＰＷＭ信号のデューティ比Ｄに基づいて、第１点灯部２１３ａのスイッチ素子のオン期間を制御し、第２ＰＷＭ信号のデューティ比Ｄに基づいて、第２点灯部２１３ｂのスイッチ素子のオン期間を制御する。第１点灯部２１３ａのスイッチ素子のオン期間が長くなるほど、第１光源部２３に供給される電流（第１電流）の電流量が増加して、第１光源部２３から発生する光の光量が増加する。同様に、第２点灯部２１３ｂのスイッチ素子のオン期間が長くなるほど、第２光源部２４に供給される電流（第２電流）の電流量が増加して、第２光源部２４から発生する光の光量が増加する。
【００２５】
制御部２１２は、典型的には、マイクロコントロールユニット（Ｍｉｃｒｏ−Ｃｏｎｔｒｏｌ  Ｕｎｉｔ）である。なお、制御部２１２は、マイクロコントロールユニットに限定されるものではない。例えば、制御部２１２は、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）とによって構成されてもよい。
【００２６】
制御部２１２は、第１電流用のＰＷＭ調光テーブルを記憶している。第１電流用のＰＷＭ調光テーブルは、第１ＰＷＭ信号のデューティ比Ｄと光の光量（第１光源部２３から発生する光の光量）との関係を規定する。
【００２７】
制御部２１２は、第１調光器３から入力されるＰＷＭ信号（第１ＰＷＭ信号）のデューティ比Ｄに基づいて、第１点灯部２１３ａから出力される電流（第１電流）の電流量（出力値）を設定する。詳しくは、制御部２１２は、第１ＰＷＭ信号のデューティ比Ｄを判定する。第１ＰＷＭ信号のデューティ比Ｄは、第１光源部２３から発生する光の光量を指示する制御値である。制御部２１２は、第１ＰＷＭ信号のデューティ比Ｄを判定すると、第１電流用のＰＷＭ調光テーブルを参照して、第１ＰＷＭ信号のデューティ比Ｄに対応する光量を判定する。そして、第１ＰＷＭ信号のデューティ比Ｄに対応する光量を有する光が第１光源部２３から発生するように、第１電流の出力値を設定する。この結果、第１光源部２３は、第１ＰＷＭ信号のデューティ比Ｄに対応する光量を有する光を発生する。
【００２８】
一方、制御部２１２は、電源回路２１の出力定格値ｘと、第１電流の出力値と、第２ＰＷＭ信号のデューティ比Ｄとに基づいて、第２点灯部２１３ｂから出力される電流（第２電流）の電流量（出力値）を設定する。電源回路２１の出力定格値ｘは、予め設定されている。以下、図１及び図２を参照して、第２電流の出力値を設定する処理について説明する。
【００２９】
図２は、実施形態１に係る電源制御方法を示す図である。詳しくは、図２は、第２電流の出力値を設定する処理の流れを示す。図２に示す処理は、第１調光器３及び第２調光器４の起動時に実行される。また、図２に示す処理は、第１ＰＷＭ信号のデューティ比Ｄが変化すると実行される。なお、以下の説明において、第１電流の出力値を「第１出力値」と記載するとともに、第２電流の出力値を「第２出力値」と記載する場合がある。
【００３０】
まず、制御部２１２は、図１を参照して説明したように、第１点灯部２１３ａから第１光源部２３へ出力される電流（第１電流）の出力値ｙ（第１出力値）を設定する（ステップＳ２１）。
【００３１】
次に、制御部２１２は、第２点灯部２１３ｂから第２光源部２４へ出力される電流（第２電流）の最大出力値ｚを設定する（ステップＳ２２）。第２電流の最大出力値ｚは、電源回路２１の出力定格値ｘと、第１出力値ｙとに基づいて設定される。詳しくは、第２電流の最大出力値ｚは、電源回路２１の出力定格値ｘを超える電流が電源回路２１から出力されないように設定される。例えば、第２電流の最大出力値ｚは、以下の式１に基づいて算出され得る。
ｚ＝ｘ−ｙ・・・（式１）
【００３２】
次に、制御部２１２は、第１電流用のＰＷＭ調光テーブルをコピーしてコピーテーブルを生成し、コピーテーブルを最大出力値ｚに基づいて修正することにより、第２電流用のＰＷＭ調光テーブルを生成する（ステップＳ２３）。第２電流用のＰＷＭ調光テーブルは、第２ＰＷＭ信号のデューティ比Ｄと光の光量（第２光源部２４から発生する光の光量）との関係を規定する。なお、以下の説明において、第１電流用のＰＷＭ調光テーブルをコピーしたコピーテーブルを「元のＰＷＭ調光テーブル」と記載する場合がある。
【００３３】
詳しくは、制御部２１２は、最大出力値ｚに対応する光量が最大光量となるように元のＰＷＭ調光テーブルを修正して、第２電流用のＰＷＭ調光テーブルを生成する。換言すると、第２光源部２４から発生する光の最大光量が、元のＰＷＭ調光テーブルにおいて規定された最大光量から、最大出力値ｚに対応する光量に変更される。以下、最大出力値ｚに対応する光量を「光量の上限」と記載する場合がある。また、元のＰＷＭ調光テーブルにおいて規定された最大光量を「元の最大光量」と記載する場合がある。光量の上限は、元の最大光量よりも小さい値を示す。
【００３４】
第２電流用のＰＷＭ調光テーブルの特性は、第２出力値を最大出力値ｚ以下に設定できる限り、特に限定されない。例えば、制御部２１２は、光量の上限が最大光量となるように、ＰＷＭ信号のデューティ比Ｄと光量との関係を修正してもよい。具体的には、制御部２１２は、光量の上限と、元の最大光量との比に応じて、例えば元のＰＷＭ調光テーブルが示す光量の値を小さくすることにより、元のＰＷＭ調光テーブルを縮小してもよい。あるいは、制御部２１２は、第２電流用のＰＷＭ調光テーブルとして、元のＰＷＭ調光テーブルにおける光量の上限以下の部分からなるテーブルを生成してもよい。
【００３５】
なお、コピーテーブル（元のＰＷＭ調光テーブル）は、第２電流の最大出力値ｚが設定（更新）される度に生成される。また、第２電流用のＰＷＭ調光テーブルは、第２電流の最大出力値ｚが設定（更新）される度に生成（更新）される。
【００３６】
制御部２１２は、第２電流用のＰＷＭ調光テーブルと、第２調光器４から入力されるＰＷＭ信号（第２ＰＷＭ信号）のデューティ比Ｄとに基づいて、第２出力値を設定する（ステップＳ２４）。制御部２１２は、第２出力値を設定すると、図２に示す処理を終了する。
【００３７】
詳しくは、制御部２１２は、第２ＰＷＭ信号のデューティ比Ｄを判定する。第２ＰＷＭ信号のデューティ比Ｄは、第２光源部２４から発生する光の光量を指示する制御値である。制御部２１２は、第２ＰＷＭ信号のデューティ比Ｄを判定すると、第２電流用のＰＷＭ調光テーブルを参照して、第２出力値を設定する。
【００３８】
例えば、第２電流用のＰＷＭ調光テーブルが、最大出力値ｚに基づいて元のＰＷＭ調光テーブルを縮小したテーブルである場合、制御部２１２は、第２電流用のＰＷＭ調光テーブルを参照して、第２ＰＷＭ信号のデューティ比Ｄに対応する光量を判定する。そして、制御部２１２は、第２出力値として、第２電流用のＰＷＭ調光テーブルを参照して判定した光量に対応する出力値を設定する。
【００３９】
あるいは、第２電流用のＰＷＭ調光テーブルが、元のＰＷＭ調光テーブルにおける光量の上限以下の部分からなり、第２ＰＷＭ信号のデューティ比Ｄに対応する光量が、光量の上限以下である場合、制御部２１２は、第２出力値として、第２電流用のＰＷＭ調光テーブルを参照して判定した光量に対応する出力値を設定する。また、第２ＰＷＭ信号のデューティ比Ｄが、光量の上限を超える光量（第２電流用のＰＷＭ調光テーブルに規定された最大光量を超える光量）に対応する場合、制御部２１２は、第２ＰＷＭ信号のデューティ比Ｄにかかわらず、第２出力値として最大出力値ｚを設定する。
【００４０】
以上、図１及び図２を参照して実施形態１に係る電源回路２１、照明器具２及び電源制御方法を説明した。実施形態１によれば、第１出力値と第２出力値との合計値が出力定格値ｘ以下となるように、第２出力値を規制することができる。したがって、互いに光色が異なる光を発生する２色の照明素子を備える照明器具（照明器具２）に対して、各色の光量を制御する信号（ＰＷＭ信号）が入力される照明制御システム（照明制御システム１）において、電源回路２１から過剰な量の電流が出力されることを抑制できる。また、過剰な量の電流が流れることを抑制できるため、放熱器を大型化する必要がない。典型的には、放熱器は、単色の照明素子を調光率１００％で発光させる場合に発生する熱に対応できればよい。
【００４１】
なお、図１に示す照明制御システム１は１台の照明器具２を備えたが、照明制御システム１は複数台の照明器具２を備え得る。照明制御システム１が複数台の照明器具２を備える場合、複数台の照明器具２は、第１調光器３及び第２調光器４に対して並列に接続される。
【００４２】
続いて図３を参照して、実施形態１に係るＰＷＭ調光テーブル（第１電流用のＰＷＭ調光テーブル、及び第２電流用のＰＷＭ調光テーブル）の特性について説明する。図３は、実施形態１に係るＰＷＭ調光テーブルの特性を示すグラフである。図３において、横軸はＰＷＭ信号のデューティ比Ｄを示し、縦軸は光の光量（例えば、調光率）を示す。
【００４３】
図３に示すように、実施形態１に係るＰＷＭ調光テーブルは、光量を離散的に示す。したがって、図１を参照して説明した第１出力値及び第２出力値は離散値となる。また、図３に示すように、実施形態１に係るＰＷＭ調光テーブルは、光量（離散値）ごとに、デューティ比Ｄの調整幅Ｗを有する。したがって、調整幅Ｗの範囲内でデューティ比Ｄが変動しても、光の光量は変動しない。
【００４４】
以上、図３を参照して実施形態１に係るＰＷＭ調光テーブルの特性について説明した。実施形態１によれば、第１調光器３及び第２調光器４に複数台の照明器具２が接続している場合に、照明器具２間で電源特性にばらつきがあっても、照明器具２間において調色のばらつき（光色のばらつき）が発生し難い。あるいは、照明器具２間で光色を合わせることが容易になる。
【００４５】
具体的には、照明器具２間において、制御部２１２によるＰＷＭ信号のデューティ比Ｄの判定がばらつくことがある。照明器具２間において、制御部２１２によるＰＷＭ信号のデューティ比Ｄの判定がばらつく場合、照明器具２間で同じ光色を得られないおそれがある。これに対し、実施形態１に係るＰＷＭ調光テーブルによれば、調整幅Ｗの範囲内でデューティ比Ｄが変動しても、光の光量は変動しない。したがって、照明器具２間において、ＰＷＭ信号のデューティ比Ｄの判定がばらついても、照明器具２間で光色がばらつき難い。あるいは、照明器具２間において、ＰＷＭ信号のデューティ比Ｄの判定がばらつき、照明器具２間で光色が合わない状態（色ずれ）が発生しても、照明器具２間で光色を容易に合わせることができる。詳しくは、ＰＷＭ信号のデューティ比Ｄの判定がばらついても、光量（離散値）ごとに調整幅Ｗが設定されているため、ＰＷＭ信号のデューティ比Ｄを、所望の光量に対応する調整幅Ｗの範囲内に容易に収めることができる。したがって、照明器具２間で容易に光色を合わせることができる。同様に、異なる照明制御システム１間においても光色のばらつきが発生し難くなる。あるいは、異なる照明制御システム１間で光色を合わせることが容易になる。
【００４６】
なお、ＰＷＭ調光テーブルの特性は、図３に示す特性に限定されない。例えば、図３に示す特性を有するＰＷＭ調光テーブルは光量の値を６つ示すが、ＰＷＭ調光テーブルが示す光量の値の数は、６つより多くてもよいし、６つより少なくてもよい。
【００４７】
また、図３に示す特性では、デューティ比Ｄの調整幅Ｗが一定であるが、例えば図４に示すように、デューティ比Ｄの調整幅Ｗは一定でなくてもよい。図４は、ＰＷＭ調光テーブルの他の特性を示す図である。なお、図４において、横軸はＰＷＭ信号のデューティ比Ｄを示し、縦軸は光の光量を示す。
【００４８】
また、図３に示す特性では、光量の変化量Ｈ（隣接する光量の値の間隔）が一定であるが、例えば図４に示すように、光量の変化量Ｈは一定でなくてもよい。
【００４９】
［実施形態２］
続いて図５を参照して本発明の実施形態２について説明する。但し、実施形態１と異なる事項を説明し、実施形態１と同じ事項についての説明は割愛する。実施形態２は、照明制御システム１が出力定格値調整器６を備える点で、実施形態１と異なる。
【００５０】
図５は、実施形態２に係る照明制御システム１を示す図である。図５に示すように、実施形態２に係る照明制御システム１は、出力定格値調整器６を更に備える。
【００５１】
出力定格値調整器６は、電源回路２１の出力定格値ｘを調整する定格値調整信号を出力する。定格値調整信号は、例えばＰＷＭ信号であり得る。出力定格値調整器６は、第１調光器３及び第２調光器４と同様に、ユーザーが操作可能なユーザーインターフェースを備える。ユーザーは、出力定格値調整器６のユーザーインターフェースを操作して、出力定格値ｘを調整することができる。具体的には、定格値調整信号がＰＷＭ信号である場合、ユーザーが出力定格値調整器６のユーザーインターフェースを操作することにより、定格値調整信号（ＰＷＭ信号）のデューティ比Ｄが変化する。定格値調整信号のデューティ比Ｄは、出力定格値ｘを指示する。
【００５２】
実施形態２に係る制御部２１２には、出力定格値調整器６から定格値調整信号が入力される。制御部２１２は、定格値調整信号に基づいて、出力定格値ｘを設定（調整）する。例えば、制御部２１２は、定格値調整信号（ＰＷＭ信号）のデューティ比Ｄと出力定格値ｘとの関係を規定する出力定格値調整テーブルを参照して、出力定格値ｘを設定する。
【００５３】
以上、図５を参照して実施形態２に係る電源回路２１及び照明器具２について説明した。実施形態２によれば、出力定格値ｘを調整することができる。したがって、出力定格値ｘを小さくして、図２を参照して説明した第２電流の最大出力値ｚを小さくすることができる。この結果、混色時に電源回路２１から過度な電流が出力されることをより抑制することができる。あるいは、出力定格値ｘを大きくして、第２電流の最大出力値ｚを大きくすることができる。この結果、混色時に、第２光源部２４から発生する光の光量の調整幅を拡大することができる。
【００５４】
また、照明制御システム１が複数台の照明器具２を備える場合、各照明器具２に定格値調整信号を入力することにより、各照明器具２の電源回路２１間の出力定格値ｘのばらつきを抑制することができる。この結果、各照明器具２から出射される光の光色のばらつきを抑制することができる。あるいは、照明器具２間で光色を合わせることが容易になる。同様に、異なる照明制御システム１間において光色のばらつきが発生し難くなる。あるいは、異なる照明制御システム１間で光色を合わせることが容易になる。
【００５５】
［実施形態３］
続いて図６を参照して本発明の実施形態３について説明する。但し、実施形態１及び２と異なる事項を説明し、実施形態１及び２と同じ事項についての説明は割愛する。実施形態３は、照明器具２が２つの電源回路を備える点で実施形態１及び２と異なる。
【００５６】
図６は、実施形態３に係る照明制御システム１を示す図である。図６に示すように、実施形態３に係る照明器具２は、第１電源回路２１ａ、及び第２電源回路２１ｂを備える。第１電源回路２１ａは、第１電流生成部２１１ａ、第１制御部２１２ａ、及び第１点灯部２１３ａを備え、第２電源回路２１ｂは、第２電流生成部２１１ｂ、第２制御部２１２ｂ、及び第２点灯部２１３ｂを備える。
【００５７】
第１電流生成部２１１ａ及び第２電流生成部２１１ｂは、外部の交流電源５と接続する。第１電流生成部２１１ａ及び第２電流生成部２１１ｂは、図１を参照して説明した電流生成部２１１と同様に構成される。第１電流生成部２１１ａは、第１制御部２１２ａによって制御されて、第１光源部２３に流す電流を生成する。また、第２電流生成部２１１ｂは、第２制御部２１２ｂによって制御されて、第２光源部２４に流す電流を生成する。
【００５８】
第１点灯部２１３ａは、第１電流生成部２１１ａから出力される電流を制御して、第１光源部２３を点灯させる電流（第１電流）を生成する。詳しくは、第１点灯部２１３ａは、第１制御部２１２ａによって制御される。第１制御部２１２ａには、第１調光器３から第１ＰＷＭ信号が入力される。第１制御部２１２ａは、実施形態１の制御部２１２と同様に、ＰＷＭ調光テーブル（第１電流用のＰＷＭ調光テーブル）を記憶しており、第１ＰＷＭ信号のデューティ比Ｄに基づいて、第１点灯部２１３ａから出力される電流（第１電流）の出力値（電流量）を設定する。
【００５９】
第２点灯部２１３ｂは、第２電流生成部２１１ｂから出力される電流を制御して、第２光源部２４を点灯させる電流（第２電流）を生成する。詳しくは、第２点灯部２１３ｂは、第２制御部２１２ｂによって制御される。
【００６０】
第２制御部２１２ｂには、第２調光器４から第２ＰＷＭ信号が入力される。更に、第２制御部２１２ｂには、第１調光器３から第１ＰＷＭ信号が入力される。第２制御部２１２ｂは、実施形態１の制御部２１２と同様に、図２を参照して説明した第２出力値の設定処理を実行する。
【００６１】
詳しくは、第２制御部２１２ｂは、第１ＰＷＭ信号に基づいて第１出力値を特定する。また、第２制御部２１２ｂは、第２電源回路２１ｂの出力定格値ｘと、第１出力値と、第２ＰＷＭ信号のデューティ比Ｄとに基づいて、第２出力値（第２電流の電流量）を設定する。
【００６２】
具体的には、第２制御部２１２ｂは、第２電源回路２１ｂの出力定格値ｘと、第１出力値とに基づいて、最大出力値ｚを設定する。第２制御部２１２ｂは、基準ＰＷＭ調光テーブル（第１電流用のＰＷＭ調光テーブルに相当するテーブル）を記憶しており、最大出力値ｚが設定されると、基準ＰＷＭ調光テーブルからコピーテーブルを生成する。そして、第２制御部２１２ｂは、最大出力値ｚに基づいてコピーテーブルを修正して、第２電流用のＰＷＭ調光テーブルを生成する。第２制御部２１２ｂは、第２ＰＷＭ信号のデューティ比Ｄを判定し、第２電流用のＰＷＭ調光テーブルを参照して、第２出力値を設定する。
【００６３】
以上、図６を参照して実施形態３に係る電源回路（第１電源回路２１ａ及び第２電源回路２１ｂによって構成される電源回路）及び照明器具２を説明した。実施形態３によれば、実施形態１及び２と同様に、互いに光色が異なる光を発生する２色の照明素子を備える照明器具（照明器具２）に対して、各色の光量を制御する信号（ＰＷＭ信号）が入力される照明制御システム（照明制御システム１）において、電源回路（第１電源回路２１ａ及び第２電源回路２１ｂによって構成される電源回路）から過剰な量の電流が出力されることを抑制できる。
【００６４】
また、第１制御部２１２ａ及び第２制御部２１２ｂが、実施形態１と同様に、図３及び図４を参照して説明した特性を有するＰＷＭ調光テーブルを記憶することにより、第１制御部２１２ａと第２制御部２１２ｂとの間で第１ＰＷＭ信号のデューティ比Ｄの判定がばらついても、電源回路から過剰な量の電流が出力されることを抑制できる。
【００６５】
なお、図６に示す構成では、第２制御部２１２ｂが、第１調光器３から入力される第１ＰＷＭ信号に基づいて第１出力値を特定したが、第１制御部２１２ａが設定した第１出力値を、第１制御部２１２ａから第２制御部２１２ｂに出力してもよい。
【００６６】
また、第２制御部２１２ｂがコピーテーブルを生成したが、第１制御部２１２ａがコピーテーブルを生成して、第２制御部２１２ｂに出力してもよい。この場合、基準ＰＷＭ調光テーブルは省略され得る。
【００６７】
また、実施形態３に係る照明制御システム１は、実施形態２と同様に、出力定格値調整器６を備え得る。照明制御システム１が出力定格値調整器６を備える場合、定格値調整信号は第２制御部２１２ｂに入力される。この構成によれば、出力定格値ｘを小さくして、図２を参照して説明した第２電流の最大出力値ｚを小さくすることができる。したがって、混色時に電源回路から過度な電流が出力されることをより抑制することができる。あるいは、出力定格値ｘを大きくして、第２電流の最大出力値ｚを大きくすることができる。したがって、混色時に、第２光源部２４から発生する光の光量の調整幅を拡大することができる。
【００６８】
また、定格値調整信号は、第２制御部２１２ｂに加えて、第１制御部２１２ａにも入力され得る。第１制御部２１２ａ及び第２制御部２１２ｂに定格値調整信号を入力することにより、第１電源回路２１ａ及び第２電源回路２１ｂの出力定格値を揃えることができる。この構成によれば、照明器具２の放熱設計が容易になる。
【００６９】
以上、本発明の実施形態について図面を参照しながら説明した。但し、本発明は、上記の実施形態に限られるものではなく、その要旨を逸脱しない範囲で種々の態様において実施することが可能である。
【００７０】
例えば、本発明による実施形態では、交流電源５として商用交流電源を例示したが、交流電源５は商用交流電源に限定されるものではなく、自家発電機等であってもよい。
【００７１】
また、本発明による実施形態では、第１光源部２３及び第２光源部２４が１つの基板に搭載されたが、本発明はこの形態に限定されない。第１光源部２３が搭載される基板と、第２光源部２４が搭載される基板とは別体であり得る。
【００７２】
また、本発明による実施形態において、ＰＷＭ信号のデューティ比Ｄが増加するほど光量が増加する構成（図３及び図４参照）について説明したが、本発明はこの形態に限定されない。ＰＷＭ信号のデューティ比Ｄが増加するほど、光量が減少してもよい。
【００７３】
また、本発明による実施形態では、第１光源部２３が第２光源部２４とは光色が異なる光を発生させたが、第１光源部２３は第２光源部２４と同じ光色の光を発生させてもよい。
【００７４】
また、本発明による実施形態において、ＰＷＭ調光テーブルは光量を離散的に示したが、ＰＷＭ調光テーブルは光量を連続的に示してもよい。換言すると、ＰＷＭ信号のデューティ比Ｄと光量との関係は、１対１であってもよい。
【００７５】
また、本発明による実施形態において、照明制御システム１が２つの調光器（第１調光器３及び第２調光器４）を備える構成について説明したが、本発明はこの形態に限定されない。１つの調光器から第１ＰＷＭ信号及び第２ＰＷＭ信号が出力されてもよい。
【００７６】
また、本発明による実施形態では、照明器具２に対し、光の光量を制御する制御信号としてＰＷＭ信号が入力されたが、本発明はこの形態に限定されない。光の光量を制御する制御信号として、例えば、導通角が制御される信号（いわゆる、位相調光信号）、又はＤＡＬＩ信号のようなデジタル信号が使用されてもよい。
【００７７】
また、本発明による実施形態では、照明器具２に対し、定格値調整信号としてＰＷＭ信号が入力されたが、本発明はこの形態に限定されない。定格値調整信号として、例えば、導通角が制御される信号（いわゆる、位相調光信号）、又はＤＡＬＩ信号のようなデジタル信号が使用されてもよい。
【００７８】
また、本発明による実施形態では、調光器（第１調光器３及び第２調光器４）と出力定格値調整器（出力定格値調整器６）とが別体であったが、調光器と出力定格値調整器とは一体に形成され得る。
【符号の説明】
【００７９】
１        照明制御システム
２        照明器具
３        第１調光器
４        第２調光器
６        出力定格値調整器
２１      電源回路
２１ａ    第１電源回路
２１ｂ    第２電源回路
２３      第１光源部
２４      第２光源部
２１１    電流生成部
２１１ａ  第１電流生成部
２１１ｂ  第２電流生成部
２１２    制御部
２１２ａ  第１制御部
２１２ｂ  第２制御部
２１３ａ  第１点灯部
２１３ｂ  第２点灯部
【図１】
2018170095.tif 000003
【図２】
2018170095.tif 000004
【図３】
2018170095.tif 000005
【図４】
2018170095.tif 000006
【図５】
2018170095.tif 000007
【図６】
2018170095.tif 000008